(57)【要約】      （修正有）【課題】ユーザがタッチしても平坦でない凹凸のような触感がなく、着る時の快適性をより高めることができる織物構造を提供する。【解決手段】織物構造は、２本の原糸１０とＲＦＩＤチップ１１と２本のアンテナ１２とを含み、これらのアンテナ１２がＲＦＩＤチップ１１にそれぞれ電気的に接続され、これらのアンテナ１２がこれらの原糸１０にそれぞれ接続されている。【選択図】図１
0003189864.tif 000002
【実用新案登録請求の範囲】
【請求項１】
２本の原糸と、
ＲＦＩＤチップと、
前記ＲＦＩＤチップにそれぞれ電気的に接続されるとともに、前記原糸にそれぞれ接続されている２本のアンテナと、を含むことを特徴とする、
織物構造。
【請求項２】
前記ＲＦＩＤチップを覆い、かつ前記アンテナまでに延在される保護層をさらに備えることを特徴とする請求項１記載の織物構造。
【請求項３】
前記保護層は、さらに、前記原糸を覆うまで延在されることを特徴とする請求項２記載の織物構造。
【請求項４】
前記アンテナが前記ＲＦＩＤチップに溶接されていることを特徴とする請求項１記載の織物構造。
【請求項５】
前記アンテナが前記ＲＦＩＤチップに圧着されていることを特徴とする請求項１記載の織物構造。
【請求項６】
前記アンテナが前記ＲＦＩＤチップに接着されていることを特徴とする請求項１記載の織物構造。
【請求項７】
前記アンテナが前記ＲＦＩＤチップに貼り付けられていることを特徴とする請求項１記載の織物構造。
【請求項８】
前記アンテナが前記原糸と同じ束に撚り合わせられていることを特徴とする請求項１記載の織物構造。
【考案の詳細な説明】
【技術分野】
【０００１】
本考案は、織物構造に関る。特に、２本の原糸とＲＦＩＤチップと２本のアンテナとで組み合わせて設計された織物構造に関する。
【背景技術】
【０００２】
ＲＦＩＤ（Ｒａｄｉｏ  Ｆｒｅｑｕｅｎｃｙ  Ｉｄｅｎｔｉｆｉｃａｔｉｏｎ：無線による自動認識）は、非接触型の自動認識技術であり、ＲＦ信号により対象物を自動的に識別し関連データを得ることができる。ＲＦＩＤは、伝統的なバーコードと比較し、製造コストが高いが、バーコードに備えていない防水、磁気防止、低温耐性、使用寿命が長く、読み取り距離が大きく、タグにおける情報の保存及び変更が自在、といった利点があり、その主な技術として、ＲＦ方式でリーダーとタグとの間に非接触の双方向データ伝送を行うことによって、目標識別とデータ交換の目的に達する。
国外では、ＲＦＩＤは、工業自動化、ビジネスオートメーション、交通運輸の制御管理などさまざまな領域に幅広く適用されており、また、タグ（ＲＦカード）は、公共交通、地下鉄の料金徴収システム、駐車場の料金徴収、入り口の警備システム、出退勤管理システム、及びショッピング決済システムなどに幅広く適用されている。
従来のＲＦＩＤ技術がアパレル産業に適用される場合、ＲＦＩＤチップとアンテナとを組み合わせて織物に嵌め込まれることが多い。従来のＲＦＩＤアンテナは織物と結合した後、服が洗濯されたり、引っ張られたりされると、ＲＦＩＤアンテナが折れてしまう欠点がある以外に、服を着る時に平坦でなく凹凸のような不快適感があり、服装にＲＦＩＤを加える意味及び機能が失われることになる。そのため、着るときの快適性を保ちながら衣服に用いられるようにＲＦＩＤを原糸と安定的に結合する方法を改善していく必要がある。
【０００３】
以上に鑑みて、本考案者は、長年にわたり従事した関連製品の製造開発及び設計経験によって、上記課題について、詳しく設計し慎重に評価した結果、実用性を確かに備える本考案が成された。
【考案の概要】
【考案が解決しようとする課題】
【０００４】
本考案は、２本の原糸とＲＦＩＤチップと２本のアンテナとの組み合わせで、ＲＦＩＤチップをこれらの原糸に平らに設けて、ユーザがタッチしても平坦でない凹凸のような触感がなく、着る時の快適性を高める織物構造を提供することを主な目的とする。
【課題を解決するための手段】
【０００５】
前記目的を達成するために、本考案に係る織物構造は、２本の原糸と、ＲＦＩＤチップと、２本のアンテナとを含み、前記アンテナが前記ＲＦＩＤチップにそれぞれ電気的に接続され、前記アンテナが前記原糸にそれぞれ接続されている。
【０００６】
前記のような織物構造では、前記ＲＦＩＤチップを覆い、かつ前記アンテナまでに延在される保護層をさらに備える。
【０００７】
前記のような織物構造では、前記保護層は、さらに、前記原糸を覆うまで延在される。
【０００８】
前記のような織物構造では、前記アンテナが前記ＲＦＩＤチップに溶接されている。
【０００９】
前記のような織物構造では、前記アンテナが前記ＲＦＩＤチップに圧着されている。
【００１０】
前記のような織物構造では、前記アンテナが前記ＲＦＩＤチップに接着されている。
【００１１】
前記のような織物構造では、前記アンテナが前記ＲＦＩＤチップに貼り付けられている。
【００１２】
前記のような織物構造では、前記アンテナが前記原糸とは同じ束に撚り合わせられている。
【００１３】
本考案の特徴、特点および技術的内容をより深く理解するために、以下の本考案に係る詳細説明および添付図面を参照されたい。なお、前記添付図面は参考や説明のために供されるにすぎず、本考案を限定するものではない。
【図面の簡単な説明】
【００１４】
【図１】本考案に係る織物構造の第一実施例の部分拡大図である。
【図２】本考案に係る織物構造の第二実施例の部分拡大図である。
【図３】本考案に係る織物構造の第三実施例の部分拡大図である。
【図４】本考案に係る織物構造の使用の模式図である。
【図５】本考案に係る織物構造の使用の模式図である。
【考案を実施するための形態】
【００１５】
図１は、本考案に係る織物構造の第一実施例の部分拡大図である。図１に示すように、織物構造１は、２本の原糸１０と、ＲＦＩＤチップ１１と、２本のアンテナ１２とを含み、これらのアンテナ１２がＲＦＩＤチップ１１にそれぞれ電気的に接続され、これらのアンテナ１２とＲＦＩＤチップ１１との接続箇所に接点１３をそれぞれ有し、これらのアンテナ１２がこれらの原糸１０にそれぞれ接続されている。
【００１６】
本実施例では、これらのアンテナ１２がこれらの原糸と、同じ束に撚り合わせられ、そのほか、これらのアンテナ１２の一端がこれらのＲＦＩＤチップ１１に電気的に接続され、他端がこれらの原糸１０に接続されてもよい。
これらのアンテナ１２とこれらのＲＦＩＤチップ１１との電気的接続方式は、溶接、圧着、貼り付け及び接着などであってよいが、上記のようなものは、いずれも、本考案の好ましい実施例にすぎず、本考案を限定するものではなく、実際に使用する際に、他の適当な電気的接続方式を用いてもよい。
【００１７】
図４は、本考案に係る織物構造の使用の模式図であり、図５は、本考案に係る織物構造の使用の模式図である。
図４に示すように、実操作時は、これらのアンテナ１２がこれらの原糸１０と同じ束に撚り合わせられてＲＦＩＤチップを有する原糸を形成し、そして、衣服を編組し縫製する時に、ＲＦＩＤチップ１１を有する原糸を加えて一緒に編組し、最後に、編成が完了すると衣服上にＲＦＩＤチップ１１を備えることになる（図５参照）。さらに、外部に装備されたリーダーとこれらのアンテナ信号の送信とに合わせれば、ＲＦＩＤチップ１１に含まれたデータを読み取ることができる。
【００１８】
説明の便宜上、下記の図２〜図３に図示された織物構造では、第一実施例と同じ構造には図１中の同符号を付与し、繰り返して説明しない。
【００１９】
図２は、本考案に係る織物構造の第二実施例の部分拡大図である。図２に示すように、本実施例では、その構造及び操作方式は、ＲＦＩＤチップ１１を覆いかつアンテナ１２までに延在された保護層１４をさらに備えること以外、前記第一実施例と同じである。
【００２０】
図３は、本考案に係る織物構造の第二実施例の部分拡大図である。図３に示すように、本実施例では、その構造及び操作方式は、第二実施例の保護層１４がＲＦＩＤチップ１１を覆いかつこれらのアンテナ１２を完全に覆うこと以外、前記第一実施例と同じである。
【００２１】
以上のように、これらの原糸１０とＲＦＩＤチップ１１とこれらのアンテナ１２との組み合わせにより、ユーザがタッチしても平坦でない凹凸のような触感はなく、着る時の快適性を高めることで、便利性や実用性を向上する。
【００２２】
上記の詳細な説明から、当該技術を熟知する当業者は、本考案が前記の目的を確かに達成できることが理解できるはずであり、法の要件を満しているので、法に従って出願を提起する。しかし、以上は、単に本考案の好ましい実施例にすぎず、本考案の実用新案登録請求の範囲を限定するものではなく、本考案の明細書および図面の内容によって実施したいずれの等価な変形も、本考案の主張範囲内に納入されるべきことは言うまでもない。
【符号の説明】
【００２３】
１    織物構造
１０  原糸
１１  ＲＦＩＤチップ
１２  アンテナ
１３  接点
１４  保護層
２０  衣服
【図１】
0003189864.tif 000003
【図２】
0003189864.tif 000004
【図３】
0003189864.tif 000005
【図４】
0003189864.tif 000006
【図５】
0003189864.tif 000007